(57)【要約】本発明は、拡張栓であって、この拡張栓は、拡張スリーブと拡張ピン（１０）とを備えている。本発明によれば、拡張ピン（１０）のねじ山部（１８）の、ねじ込み方向で後方のフランク（２０）が、拡張ピン（１０）の軸方向に対して約９°のフラットな角度で方向付けられており、ねじ山部（１８）が大きなねじ山ピッチで形成されている。引き抜き方向で拡張ピン（１０）が負荷されると、後方のフランク（２０）は相前後して配置されたある種の拡張円錐として作用して、拡張スリーブを拡開する。拡張栓は、穿孔拡張が生じる場合に後拡張特性を有している。拡張スリーブからの拡張ピン（１０）のねじ外しに対抗するために、本発明によれば、長手方向かつ半径方向に向けられたねじ外し防止フランク（２６）がねじ山部（１８）に設けられており、ねじ外し防止フランクは、拡張に際して拡張スリーブに圧入し、拡張スリーブからの拡張ピン（１０）のねじ外しを防止する。
2004537020.tif 000002
【特許請求の範囲】
【請求項１】
拡張栓であって、該拡張栓が、拡開可能な拡張スリーブと、該拡張スリーブを拡開するための拡張ピンとを備えている形式のものにおいて、
拡張ピン（１０）が、ねじ山部（１８）を備えており、該ねじ山部（１８）の、ねじ込み方向で後方のフランク（２０）が、拡張ピン（１０）の軸方向に対して約４５°かまたはそれを下回るフラットな角度（α）を有しており、ねじ山部（１８）が、該ねじ山部（１８）の谷径（ｄｋ）にほぼ相当するかまたはそれより大きなねじ山ピッチ（Ｐｈ）を有していることを特徴とする、拡張栓。
【請求項２】
拡張ピンのねじ山部（１８）の、ねじ込み方向で後方のフランク（２０）が、拡張ピン（１０）の軸方向に対して約９°の角度（α）で延びている、請求項１記載の拡張栓。
【請求項３】
拡張ピン（１０）のねじ山部（１８）のねじ山ピッチ（Ｐｈ）が、ねじ山部（１８）の谷径の２倍よりも大きくなっている、請求項１記載の拡張栓。
【請求項４】
拡張ピン（１０）のねじ山部（１８）のねじ山ピッチ（Ｐｈ）が、ねじ山部（１８）の谷径（ｄｋ）のほぼ４と１／２倍の大きさを有している、請求項３記載の拡張栓。
【請求項５】
拡張栓（１０，１２）が、ねじ外し防止装置（２６；３２）を備えており、該ねじ外し防止装置（２６；３２）が、拡張スリーブ（１２）からの拡張ピン（１０）のねじ外しに対抗するようになっている、請求項１記載の拡張栓。
【請求項６】
ねじ山部（１８）のねじ山が、少なくとも１箇所でねじ外し防止フランク（２６）を備えており、該ねじ外し防止フランク（２６）が、拡張ピン（１０）の実質的に長手方向で延びていて、該ねじ外し防止フランク（２６）が、拡張ピン（１０）に対してほぼ半径方向に向けられていて、かつ拡張ピン（１０）のねじ外し方向に向いている、請求項５記載の拡張栓。
【請求項７】
ねじ外し防止フランク（２６）が、ねじ山部（１８）のフランク（２０，２２）との共通のエッジ（３０）を備えている、請求項６記載の拡張栓。
【請求項８】
拡張ピン（１０）が、ピンヘッド（１４）を備えており、該ピンヘッド（１４）が下面で、凹凸部（３２）を備えている、請求項５記載の拡張栓。
【請求項９】
ピンヘッド（１４）が下面で、凹凸部としてのローレット部（３２）を備えている、請求項８記載の拡張栓。
【請求項１０】
ピンヘッド（１４）が下面で、凹凸部としての半径方向リブを備えている、請求項８記載の拡張栓。
【請求項１１】
拡張スリーブ（１２）が、該拡張栓スリーブのほぼ接線方向で突出する回動防止エレメント（４４）を備えている、請求項１記載の拡張栓。
【請求項１２】
拡張ピン（１０）が、予め拡張スリーブ（１２）に挿入されている、請求項１記載の拡張栓。
【発明の詳細な説明】
【技術分野】
【０００１】
本発明は、請求項１の上位概念に記載の形式の拡張栓に関する。
【０００２】
このような拡張栓は公知である。拡張栓は拡張スリーブを備えており、この拡張スリーブに拡張ピンがねじ込み可能であり、拡張ピンはねじ込みに際して拡張ピンスリーブを拡張する。一般的に拡張スリーブは縦スリットまたは長手方向に対して角度付けされて延びるスリットを備えており、このスリットは拡張スリーブを複数の拡開舌片に分け、これらの拡開舌片は拡張ピンのねじ込みによって互いに離間する方向に押し拡げられるか、もしくは拡張され、拡張栓もしくは拡張スリーブは拡張されるかまたは拡開される。別の構成では、拡張スリーブは、弾性的および／または可塑的に拡張可能な材料、特にプラスチックから製作される。拡張もしくは拡開によって、拡張栓は穿孔、たとえば建築材に固定される。
【０００３】
公知の拡張栓は、たとえば建築材の亀裂形成によって穿孔が拡張した場合に弛み、拡張栓の固定力または引き抜き力が低下する。
【０００４】
したがって本発明の課題は、冒頭で述べたような形式の拡張栓を改良し、穿孔拡張が生じた場合に高い固定力または引き抜き力を有するようなものを提供することである。
【０００５】
この課題は、請求項１の特徴部に記載の構成によって解決される。本発明の拡張栓の拡張ピンはねじ山部を備えており、このねじ山部の、ねじ込み方向で後方のフランクは拡張ピンの軸方向に対してほぼ４５°のフラットな角度かまたはそれを下回る角度で延びている。ねじ山部の、ねじ込み方向で後方のフランクは、傾斜面または拡張面を形成し、この傾斜面または拡張面は、拡張ピンが引き抜き方向で軸方向負荷されると、拡張スリーブを追加的に拡張するかまたは拡開する。ねじ込み方向で後方のフランクは、円錐状の拡開体を形成する。拡開作用に関して、ねじ込み方向で後方のフランクは、軸方向で相前後して配置された幾つかの拡開円錐と理解することができる。もちろんこのようなねじ山部の形成は有利であり、拡張ピンは拡張スリーブに対してねじ込みおよびねじ外しを行うことができる。
【０００６】
本発明の拡張栓は穿孔に固定されるようになっていて、この穿孔が拡張し、引き抜き方向で拡張ピンが軸方向負荷されると、拡張ピンは僅かに軸方向で拡張スリーブから引き出される。この場合拡張ピンのねじ山部の、軸方向に対して４５°かまたはそれを下回るフラットな角度で位置する、ねじ込み方向で後方のフランクは、拡張スリーブをさらに拡開する。拡張栓は後拡開されて、ほとんど不変の固定力で穿孔に固定されたままである。
【０００７】
さらに本発明の拡張栓の拡張ピンのねじ山部は大きなねじ山ピッチを有しており、このねじ山ピッチの大きさは、ほぼねじ山部の谷径に相当するかまたはそれを上回っている。このようにしてねじ山部の、軸方向で延びる縦長の、ねじ込み方向で後方のフランクが形成される。引き抜き方向で拡張スリーブに対して拡張ピンが変位する際の、拡張ピンスリーブの最大拡開は、１ねじ条つまり１ねじ山ピッチ分行われるので、本発明は、長い引き抜き距離を実現し、ひいては大きな後拡開を実現する。
【０００８】
したがって本発明の拡張栓の利点によれば、後拡開特性を有しており、その結果としてこの拡張栓は引張り領域に適しており、また別の利点によれば、拡張スリーブの最大拡開が得られるまで引き抜き方向で拡張スリーブに対して拡張ピンを大きく変位でき、さらに別の利点によれば、拡張スリーブの大きな最大拡開が得られ、これによって比較的大きな穿孔拡張が生じても、穿孔に対する拡張栓の堅固な固定が保証されている。本発明の拡張栓の別の利点によれば、拡張栓は中実建築材、たとえばコンクリートにも、中空建築材、たとえば穴あき煉瓦にも適している。中空建築材に対する適合は、拡張ピンがねじ山部の全長にわたって拡張スリーブを均等に拡開し、これによって拡張スリーブの拡開が穴あき煉瓦の単数または複数のウェブの領域でも得られ、これによって穴あき煉瓦に対する拡張栓の固定が得られることによって、達成される。さらなる利点によれば、本発明の拡張栓は、回動させずに穿孔に挿入することができ、たとえばハンマまたは電動打撃工具を用いて挿入することができる。拡張栓が完全に穿孔に差し込まれていると、拡張栓のプレロード（Vorspannung；予荷重）および拡開を得るために、拡張ピンは引き出すことができ、このためには僅かな回動で十分である。もちろん拡張ピンの引き抜きは不可欠でない。というのはつまり拡張栓は、引き抜き方向での軸方向負荷によって拡開され、つまり負荷に際して穿孔に固定されるからである。
【０００９】
本発明の１実施形態によれば、抜き外し防止装置が設けられており、この抜き外し防止装置は、拡張スリーブからの拡張ピンのねじ外しに対抗する。大きなねじ山ピッチによって、ねじ山部はセルフロックフリーにすることができる。セルフロックフリーとは、軸方向負荷によって拡張ピンが回動し、拡張スリーブからねじ外れることを意味する。ねじ外し防止装置は、拡張ピンの軸方向負荷による拡張スリーブからの拡張ピンのねじ外しを防止する。これによって引き抜き方向での拡張ピンの軸方向負荷による拡張栓の拡開および後拡開が達成される。ねじ外し防止装置は、有利には拡張ピンの回動にる拡張スリーブからの拡張ピンの意図的なねじ外しを許容する。拡張スリーブからの拡張ピンのねじ外しは、有利には少なくとも穿孔の外側に位置しかつ／または拡開されていない拡張栓で得られる。セルフロックもしくはセルフロックフリーは、ねじ山部の幾何学形状以外に、摩擦に影響を与える別の要因、たとえば材料結合、潤滑状態および穿孔微粉による汚れなど、場合によっては温度および面圧にも影響されるので、セルフロックもしくはセルフロックフリーは強制的に行われるようになっているのではなく、同じ拡張栓ではその都度の使用条件に応じて行うか、または行われないようにすることができる。本発明のねじ外し防止装置は、セルフロックフリー状態で、引き抜き方向での拡張ピンの軸方向負荷による拡張スリーブからの拡張ピンの不意のねじ外しを防止する。
【００１０】
本発明の１実施形態によれば、ねじ外し防止フランクが拡張ピンのねじ山部に設けられており、このねじ外し防止フランクは拡張ピンのほぼ縦方向と、拡張ピンに対してほぼ半径方向とで延びている。ねじ外し防止フランクは拡張ピンのねじ外し方向に向けられている。ねじ外し防止フランクによってねじ山部の鋸歯状の横断面が得られ、ねじ外し防止フランクは、拡開に際して拡張スリーブに圧入し、かつその方向付けによって拡張スリーブからの拡張ピンのねじ外しに対抗する。拡開されていない拡張スリーブでは、ねじ外し防止フランクは拡張スリーブに圧入しないかまたはほとんど圧入しないので、拡張ピンは拡張スリーブからねじ外すことができる。拡張スリーブへの拡張ピンのねじ込みは、ねじ外し防止フランクによって妨げられない。
【００１１】
本発明の１実施形態によれば、フランク、たとえばねじ山部の、ねじ込み方向で後方のフランクとねじ外し防止フランクとの共通のエッジが設けられている。本発明のこの実施形態では、ねじ外し防止フランクは、ねじ山部のフランクを越えて突出しておらず、これによって拡張していない拡張スリーブに対する拡張ピンの意図的なねじ込みまたはねじ外しを妨げない。拡開に際してねじ外し防止フランクは拡張スリーブに圧入し、これによって引き抜き方向での軸方向負荷による拡張ピンの意図しないねじ外しが防止される。
【００１２】
本発明の１実施形態では、凹凸部がねじ外し防止装置として拡張ピンのピンヘッドの下面に設けられている。下面とは、ピンヘッドの、ピンシャフトおよびねじ山部に向いた端面を意味する。本発明のこのような構成は、前述のねじ外し防止フランクに対して追加的または選択的に設けることができる。ピンヘッドの下面における凹凸部は、ピンヘッドと、ピンヘッドの下面に位置する、拡張栓の拡張ピンを用いて固定される固定対象との間の摩擦を高める。固定対象が拡張ピンをピンヘッドの下面でねじ外し方向で軸方向負荷する場合、摩擦を高める凹凸部が拡張ピンの回動に対抗し、したがって拡張スリーブからのねじ外しに対抗する。
【００１３】
本発明の１実施形態では、凹凸部は、ローレット部または半径方向リブとして形成することができる。
【００１４】
穿孔における拡張スリーブの回動を防止するために、本発明の１実施形態では、接線方向で拡張スリーブから突出する回動防止エレメントが設けられている。
【００１５】
次に図面につき、本発明の実施例を詳しく説明する。
【００１６】
本発明の拡張栓は、たとえば鋼から製作された、図１〜図３に示した拡張ピン１０と、有利にはプラスチックから成る、図４〜図６に示した拡張スリーブ１２とを備えている。拡張ピン１０はピンヘッド１４と、ねじ山の設けられていないピンシャフト１６と、ねじ山部１８とを備えており、これらは互いに一体的に結合されている。ねじ山部１８は一条式で、かつ大きなねじ山ピッチＰｈを備えており、このねじ山ピッチＰｈは図示の実施例では谷径ｄｋの４と１／２倍に相当する。ねじ山部１８の、ねじ込み方向で後方のフランク２０は、拡張ピン１０の軸方向に対して約９°のフラットな角度αを成している。この場合ねじ込み方向で後方のフランク２０は、ねじ山部１８の、ピンヘッド１４に向いたフランク２０である。ねじ山部１８の、ねじ込み方向で後方のフランク２０のフラットな角度αによって、後方のフランク２０は、円錐形に類似した形状を有している。
【００１７】
ねじ山部１８の、ねじ込み方向でみて前方のフランク２２は、極めて急な角度で傾斜して形成されており、このフランク２２は図示の実施例では拡張ピンの軸方向に対して約３０°の角度を成している。
【００１８】
外周面の一箇所で、拡張ピン１０の横断面で直角に延びるフライス加工凹部２４が形成されている。このフライス加工凹部２４はねじ山の高さより小さな深さを有している。したがってフライス加工凹部２４は内向きにねじ山部１８の谷底まで到達しない。フライス加工凹部２４はそれぞれピッチＰｈごとに繰り返し設けられている。
【００１９】
図３に示した拡張ピン１０の横断面から良く判るように、フライス加工凹部２４は半径方向に向けられたフランク２６と、接線方向に向けられたフランク２８とを備えている。半径方向に向けられたフランク２６は、拡張ピン１０のねじ外し方向に向いており、右ねじでは、半径方向に向けられたフランク２６は、左回動方向に向いている。フライス加工凹部２４の半径方向のフランク２６は、以下にねじ外し防止フランク２６と記載する。フライス加工凹部２４は、拡張ピン１０のねじ山部１８の、図３に示した横断面では、ねじ外し防止フランク２６の領域で鋸歯状の外形を有している。ねじ外し防止フランク２６は、ねじ山部１８の、拡張ピン１０のねじ込み方向でみて後方のフランク２０と共通のエッジ３０を備えている。
【００２０】
ピンヘッド１４は下面で、半径方向ローレット目またはリブを備えた凹凸部としてのローレット部３２を備えている。ピンヘッド１４の下面とは、ピンヘッド１４の、シャフト１６およびねじ山部１８に向いた端面である。
【００２１】
本発明の拡張栓の、図４〜図６に示した拡張スリーブ１２は、特に図５から判るように、拡張ピン１０を差し込むために開放されている後方端部または導入端部で、ねじ山の設けられていない中空シャフト区分３４を備えている。この中空シャフト区分３４は、拡張ピン１０の、ねじ山の設けられていないシャフト１６とほぼ同じ長さを有しており、拡張ピン１０が拡張スリーブ１２に差し込まれた状態では、拡張ピン１０の、ねじ山の設けられていないシャフト１６は、拡張スリーブ１２の、ねじ山の設けられていない中空シャフト区分３４の内側に位置する。前方で、雌ねじ山部３６を備えた一体的な中空シャフト区分３８が、ねじ山の設けられていない中空シャフト区分３４に続いている。雌ねじ山部３６は、拡張ピン１０のねじ山部１８に対して相補的に成形されている。雌ねじ山部３６を備えた中空シャフト区分３８において、拡張スリーブ１２は非連続的な縦スリット４０を備えており、縦スリット４０は拡張スリーブ１２を複数の拡開舌片４２に分けている。したがって雌ねじ山部３６と、縦スリット４０を備えた中空シャフト区分と３８は、以下に拡開領域３８とも記載する。図示の実施例では、拡張スリーブ１２は、互いに向かい合って配置された２つの縦スリット４０を備えており、これらの縦スリット４０は拡張スリーブ１２を拡開領域３８において２つの拡開舌片４２に分けており、これらの拡開舌片はそれぞれ周方向でほぼ１８０°にわたって延びている。拡張スリーブ１２の前方端部または差込端部４３は閉じて形成されている。
【００２２】
両方の拡開舌片４２は、拡張スリーブ１２の縦方向で相前後して配置された、平面図でみて三角形の幾つかの係止片４４を備えている。係止片４４は、拡張スリーブ１２を端面側から見た図である図６からよく判るように、ほぼ一接線方向で突出している。係止片４４は回動防止エレメントを成しており、この回動防止エレメントは穿孔における拡張スリーブ１２の回動に対抗する。
【００２３】
拡張スリーブ１２は、縦方向で相前後して配置された、半径方向で突出する幾つかの逆係止エレメント４６を備えている。逆係止エレメント４６は、拡開領域３８の後方区分で、かつねじ山の設けられていない中空シャフト区分３４の前方区分に配置されている。図５の断面図でみると、逆係止エレメント４６は鋸歯状に形成されており、これらの逆係止エレメント４６はモミの木形プロフィール（Tannenbaumprofil）を成していて、かつ穿孔からの拡張スリーブ１２の引き抜きに対抗する。
【００２４】
本発明の、拡張ピン１０と拡張スリーブ１２とを備えた拡張栓の機能および使用法を以下に記載する。拡張栓を用いるために、拡張ピン１０は拡張スリーブ１２にねじ込まれる。ここでは拡張ピンは、拡張スリーブ１２拡開しないようにするために、きつく締め付けられることはない。拡張ピン１０は、拡張スリーブ１２を射出成形するためのコアとして利用することもできる。この場合拡張ピン１０は、拡張スリーブ１２を製作すると、既に拡張スリーブ１２に挿入された状態になる。拡張ピン１０が拡張スリーブ１２に挿入された状態で、拡張スリーブは使用準備可能で、またこの状態は拡張栓の搬送状態である。たとえば図示していない建築材（壁材）に設けられた穿孔に固定するために、拡張栓、つまり拡張ピン１０の挿入された拡張スリーブ１２は、たとえばハンマまたは電動打撃工具を用いて、建築材に固定しようとする図示していない固定対象における貫通孔を通って建築材の穿孔に挿入される。拡張栓は、ピンヘッド１４が下面で固定対象に接触するまで深く穿孔に挿入される。拡張栓の挿入に際して、拡張ピン１０のねじ山部１８の、ねじ込み方向で前方のフランク２２は、挿入力を形状接続（Formschluss；形状による束縛）によって拡張スリーブ１２に伝達し、これによって拡張スリーブ１２を穿孔に挿入する対抗受けまたは連行体として作用する。拡張栓を穿孔に挿入すると拡張栓の固定が終了し、拡張ピン１０の回動による引き出しは必要ではない。もちろん拡張ピン１０は挿入したあとで引き出すことができ、これによって拡張栓１０，１２の拡開およびプレロードを得ることができる。引き出しを行うためには、拡張ピン１０を僅かに回動すれば十分である。
【００２５】
拡張ピン１０が引き抜き方向で軸方向負荷されると、軸方向に対してフラットな角度αに向けられた、ねじ込み方向でみて後方のフランク２０がある種の円錐面として働き、この円錐面は拡張スリーブ１２の拡開舌片４２を互いに離間する方向に押し拡げる。拡張スリーブ１２は拡開されて、拡張栓１０，１２は穿孔に固定される。拡張ピン１０のねじ山部１８は、軸方向に対してフラットな角度αに向けられた後方のフランク２０で、拡開作用に関して、軸方向で相前後して配置された幾つかの拡開円錐のようにみなされ、これらの拡開円錐は拡張ピン１０を引き抜き方向で軸方向負荷することによって、拡張スリーブ１２を拡開領域３８において拡開する。たとえば建築材における亀裂形成に基づく穿孔拡張に際して、拡張ピン１０は、引き抜き方向での軸方向負荷に際して拡張スリーブ１２をさらに拡開するので、拡張栓１０，１２は、穿孔拡張に際してほとんど変わらない固定力で穿孔に固定されたままである。拡張栓１０，１２は後拡開特性を有しており、拡張栓１０，１２は引張り領域に適している。拡張ピン１０の大きなねじ山ピッチＰｈに応じて、引き抜き方向でみて拡張スリーブ１２に関して、拡開および後拡開のための、大きなねじ山ピッチに応じた拡張ピン１０の大きな距離が提供される。大きなねじ山ピッチＰｈによって次のことが回避され、つまり、拡張ピン１０が１ねじ山ピッチＰｈ分拡張スリーブ１２から抜き出され、これによって拡張スリーブ１２が雌ねじ山部３６で１ねじ条分ずらされてねじ山部１８に嵌り込んで拡張が解消される、ということが回避される。
【００２６】
大きなねじ山ピッチＰｈに基づいて、拡張スリーブ１２における拡張ピン１０のセルフロック（Selbsthemmung）が全ての場合において排除されるわけではない。セルフロックフリー（Selbsthemmungsfreiheit）とは、拡張ピンの引き抜き方向での軸方向負荷が、ねじ外し方向で拡張ピン１０を回動させ、拡張ピン１０が軸方向負荷によって拡張スリーブからねじ外されることである。このことを回避するために、上述のねじ外し防止フランク２６がねじ山部１８のねじ山に設けられている。ねじ外し防止フランク２６はエッジ３０で、拡張スリーブ１２の拡開に際して拡張スリーブ１２に圧入される。このためにねじ外し防止フランク２６が半径方向でねじ山部１８のフランク２０，２２を越えて突出する必要はない。拡張スリーブ１２に圧入されたねじ外し防止フランク２６は対抗受けを成し、この対抗受けは、ねじ山部１８と拡張スリーブ１２の雌ねじ山部３６とのセルフロック状態で、引き抜き方向で拡張ピン１０を軸方向負荷することによる拡張ピンのねじ外しに対抗する。したがってねじ外し防止フランク２６は、拡張栓１０，１２のねじ外し防止装置を成す。
【００２７】
拡張栓１０，１２が拡張されておらず、特に穿孔に位置していない場合、ねじ外し防止フランク２６のエッジ３０は拡張スリーブ１２に圧入していないので、拡張ピン１０は拡張スリーブ１２からねじ外すことができる。
【００２８】
別のねじ外し防止装置は、ピンヘッド１４の下面におけるローレット部３２によって形成される。拡張ピン１０は、拡張ピンと共に壁に固定される固定対象によって軸方向で引き抜き負荷されると、固定対象は、ローレット部３２を備えたピンヘッド１４の下面に接触する。固定対象が回動しない限り、ローレット部３２によって高められた、ピンヘッド１４と固定対象との間の摩擦が、拡張ピン１０の回動に対抗し、特にねじ山部１８のセルフロックフリー状態での拡張スリーブ１２からの拡張ピン１０のねじ外しに対抗する。
【００２９】
ねじ山部１８の、拡張ピンの軸方向に対してフラットな角度αで方向付けられた後方のフランク２０は、軸方向で相前後して配置されたある種の拡開円錐として作用し、このフランク２０は拡張スリーブを、拡開領域３８の全長にわたって均等に拡開する。これによって本発明の拡張栓１０、１２は、中実建築材以外に、中空建築材たとえば穴あき煉瓦にも適している。なぜならば拡開領域３８の全長にわたる均等な拡開によって、穴あき煉瓦の少なくともウェブ（中実部分）の領域で拡開が行われ、このウェブは拡張栓１０，１２を穴あき煉瓦に固定するからである。
【図面の簡単な説明】
【００３０】
【図１】本発明の拡張栓の拡張ピンを示す斜視図である。
【図２】図１の拡張ピンの側面図である。
【図３】図２のＩＩＩ−ＩＩＩ線に沿った、拡張ピンの横断面図である。
【図４】本発明の拡張栓の拡張スリーブを示す斜視図である。
【図５】図４の拡張スリーブの軸方向断面図である。
【図６】図５の矢印ＶＩ方向で、図４および図５の拡張スリーブを後方端部からみて示す図である。
【符号の説明】
【００３１】
１０  拡張ピン、  １２  拡張スリーブ、  １４  ピンヘッド、  １６  ピンシャフト、  １８  ねじ山部、  ２０，２２，２６，２８  フランク、  ２４  フライス加工凹部、  ３０  エッジ、  ３２  ローレット部、  ３４  中空シャフト区分、  ３６  雌ねじ山、  ３８  中空シャフト区分、  ４０  縦スリット、  ４２  拡開舌片、  ４３  差込端部、  ４４  係止片、  ４６  逆係止エレメント、  Ｐｈ  ねじ山ピッチ、  ｄｋ  谷径、  α  角度、  β  角度
【国際公開パンフレット】
2004537020.tif 000003
2004537020.tif 000004
2004537020.tif 000005
2004537020.tif 000006
2004537020.tif 000007
2004537020.tif 000008
2004537020.tif 000009
2004537020.tif 000010
2004537020.tif 000011
2004537020.tif 000012
2004537020.tif 000013
2004537020.tif 000014
2004537020.tif 000015
2004537020.tif 000016
2004537020.tif 000017
2004537020.tif 000018
【国際調査報告】
2004537020.tif 000019
2004537020.tif 000020
2004537020.tif 000021
2004537020.tif 000022